(57)【要約】【課題】  溶接を不要とし、機器取付板にも固定することなく容易に、且つ安定した状態で電気機器収納用箱の側面に取り付けることができる電気機器収納用箱の配線支持部材を提供する。【解決手段】  電気機器収納用箱２の側板部２３の内面に沿わせて設ける配線支持部材において、配線支持部材本体１の上端部を電気機器収納用箱２の開口枠部２１に固定し、また、該配線支持部材本体１の下端の側面部１２を電気機器収納用箱２の背面板部２２に取り付ける機器取付板３の側面３１に当接させる。【選択図】  図１
2005340274.tif 000002
【特許請求の範囲】
【請求項１】
電気機器収納用箱の側板部の内面に沿わせて設ける配線支持部材において、配線支持部材本体の上端部を箱の開口枠部の内面に固定し、また、該配線支持部材本体の下端の前方側の側面部を電気機器収納用の背面板部に取り付ける機器取付板の側面に当接させたことを特徴とする電気機器収納用箱の配線支持部材。
【請求項２】
配線支持部材本体の下端の前方側の側面部を機器取付板方向に位置調節自在な構造とした請求項１に記載の電気機器収納用箱の配線支持部材。
【発明の詳細な説明】
【技術分野】
【０００１】
本発明は、電気機器収納用箱の側板部の内面に沿わせて設ける電気機器収納用箱の配線支持部材に関するものである。
【背景技術】
【０００２】
従来の電気機器収納用箱の配線支持部材は、例えば、図５に示すように電気機器収納用箱１０１の側板部１０２の内面にナット１０３を溶接してねじ止めして取り付けたものや、配線支持部材を電気機器収納用箱の側面に直接溶接したもの（例えば、実開平５−５７８８３号  図７参照）が普通である。しかし、このようなものでは、溶接作業が煩雑であり、また、配線用の孔は溶接箇所を外して行わなければならず、電気機器収納用箱の設置箇所によっては電線を引き込むための配線用の孔を最適な箇所に設けることができないという問題がある。
【０００３】
また、電気機器収納用箱の側板部の内面に配線支持部材を溶接により取り付けず、電気機器収納用箱に組み込んだ機器取付板に配線支持部材を取り付けたものが実開平５−５７８８３号としてあるが、これは、配線支持部材が機器取付板に固定されているため、内部機器の追加のために機器取付板を取り外す際に配線支持部材が一緒に箱から取り外されるため配線を配線支持部材から取り外す必要がある。そして、この内部機器を追加した機器取付板を再び箱内に組み込む際に該機器取付板に再度配線支持部材を取り付けなければならず作業が面倒である。
【特許文献１】実開平５−５７８８３号公開実用新案公報
【発明の開示】
【発明が解決しようとする課題】
【０００４】
本発明は前記のような従来の問題点を解決して、取り付けのための溶接を不要とし、機器取付板にも固定することなく容易に、且つ安定した状態で電気機器収納用箱の側板部の内面に沿わせて取り付けることができる電気機器収納用箱の配線支持部材を提供することである。
【課題を解決するための手段】
【０００５】
本発明の電気機器収納用箱の配線支持部材は、電気機器収納用箱の側板部の内面に沿わせて設ける配線支持部材において、配線支持部材本体の上端部を箱の開口枠部の内面に固定し、また、該配線支持部材本体の下端の前方側の側面部を電気機器収納用の背面板部に取り付ける機器取付板の側面に当接させたことを特徴するものである。また、この発明において、配線支持部材本体の下端の前方側の側面部を機器取付板方向に位置調節自在な構造とすることが好ましい。
【発明の効果】
【０００６】
本発明の電気機器収納用箱の配線支持部材は、配線支持部材本体の上端部を箱の開口枠部の内面に固定したものであるから、取付作業が容易なものである。そして、配線支持部材本体の下端の前方側の側面部を電気機器収納用の背面板部に取り付ける機器取付板の側面に当接させているので、配線支持部材に電線を結束等の手段で支持させた電線の重量や張力により配線支持部材が内側に入り込むことなく強固に固定できるものである。また、配線支持部材本体の下端の前方側の側面部を機器取付板方向に位置調節自在な構造とすれば、電気機器収納用箱機器の側板部内面と機器取付板の側面との距離が異なる規格の電気機器収納用箱のものに対応できるものである。
【発明を実施するための最良の形態】
【０００７】
次に、本発明の好ましい実施の形態を図面に基づき説明する。
１は縦長の板材よりなるの配線支持部材本体であり、該配線支持部材本体１は上端部１１を電気機器収納用箱２の開口枠部２１の内面にねじ止めによって固定し、また、下端の前方側の側面部１２を電気機器収納用箱２の背面板部２２に取り付ける機器取付板３の側面３１に当接させて、電気機器収納用箱２の側板部２３の内面に沿わせて設けるものである。
【０００８】
前記配線支持部材本体１は図示のものは上端部１１にねじ孔１１ａを２個設けてあり、電気機器収納用箱２の側板部２３より内側に設けた開口枠部２１の内面に後面を当接させて該開口枠部２１に設けたねじ挿通孔から挿通したねじ４を該ねじ孔１１ａに螺合して２箇所でねじ止めするものとしている。なお、ねじ止めは２箇所以上の複数箇所で行うことが安定して好ましいが１箇所でもよい。また、配線支持部材本体１は下端前方側に向けレール板部１０を折曲形成し、該レール板部１０にスライド部材５をスライド自在としたうえ該スライド部材５を任意の位置で固定できるものとして、配線支持部材本体１の下端の前方側の側面部１２を構成するスライド部材５の正面部を機器取付板３方向に位置調節自在な構造としている。
【０００９】
前記、配線支持部材本体１の下端の前方側の側面部１２を機器取付板方向に位置調節自在な構造を、具体的に説明すれば、レール板部１０にねじ孔１０ａを設け、一方スライド部材５はレール板部１０の上面に当接するスライド部材本体５０の両側下方に前記レール板部１０の両縁部１０ｂ、１０ｂにスライド自在に係合できる横溝部５１、５１を設け、スライド部材本体５０に前記ねじ孔１０ａが常時臨む長孔５０ａを設けたものであり、スライド部材５をレール板部１０にスライドさせて位置調節をして、スライド部材５が所定の位置すなわち配線支持部材本体１の下端の側面部１２を構成するスライド部材５の正面部が機器取付板３の側面３１に当接する位置をとる場合に長孔５０ａから挿通した止めねじ６をねじ孔１０ａに螺合して締め付けて固定するものである。
【００１０】
なお、配線用支持部材を電気機器収納用箱２の側板部２３の内面と機器取付板３との距離が同一規格のもののみに専用に使用するものにあっては、スライド部材５を設けて配線支持部材本体１の下端の前方側の側面部１２を機器取付板方向に位置調節自在な構造とすることなく配線支持部材本体１の下端を折曲形成させたものでもよく、また、他の部材を固定したものでもよい。
【００１１】
また、配線支持部材本体１には電線７を保持するための結束バンド８を取り付けるための長孔状の結束具取付孔１３が上下に所要の間隔をおいて複数個配設しているとともに、該結束具取付孔１３の上下に隣り合うようにねじ孔１４を設けて、電線が位置することがないねじ孔１４にレール９を取り付けて温度センサー等の小型機器を取り付けるのに便宜なものとしている。さらに、配線支持部材本体１の両側の後方側には電気機器収納箱２の側板部２３の内面に当接する舌片１５が前記結束具取付孔１３との位置をずらして結束バンド８の装着の障害とならないように折曲形成してあり、配線支持部材本体１の上端部１１をねじ止めする開口枠部２１が電気機器収納用箱２の側板部２３より内側にあっても配線支持部材本体１が側板部２３へ移動しないものとしている。
【００１２】
このように構成されたものは、配線支持部材本体１の上端部１１を電気機器収納箱２の開口枠部２１の内側面に固定して取り付けるものであるから、電気機器収納箱内に内部機器が設置されている状態であっても、開口枠部２１の近傍は作業空間を充分確保できるので工具の取扱いが容易で取付作業が容易なものである。特に、ねじ４を電気機器収納箱２の外側から開口枠部２１に設けたねじ挿通孔から挿通してねじ孔１１ａに螺合してねじ止めするものにおいては作業性がより優れたものとなる。そして、配線支持部材本体１の下端の前方側の側面部１２を電気機器収納用２の背面板部２２に取り付ける機器取付板３の側面３１に当接させているので、配線支持部材に結束等の手段で支持させた電線７の重量や張力により配線支持部材が内側に入り込むことなく強固に固定されるものである。
【００１３】
また、配線支持部材本体１の下端の側面部１２を機器取付板３方向に位置調節自在な構造とすれば、電気機器収納用箱２の側板部２３の内面と機器取付板３の側面３１との距離が異なる規格の電気機器収納箱に対応できるものである。
【００１４】
そして、例えば、予め配線支持部材を箱２に取り付けず電気機器収納箱２に機器取付板３に取り付けた内部機器を組み込んで分電盤、配電盤等の盤類として出荷したものにおいて、客先で配線支持部材を後付けする際に、ナットやスタッドボルトを溶接せずに、電気機器収納箱２の開口枠部２１にねじ挿通孔２１ａを設けるだけの簡単な作業で取け付けできるものである。
【００１５】
また、予め配線支持部材を電気機器収納箱に取り付けただけの空箱として出荷して、客先や設置場所で、機器取付板３を箱２から外して内部機器を機器取付板３を取り付けて再度この機器取付板３を箱２に取り付ける場合には、箱２の側板部２３にはナットやスタッドボルトが溶接されていないので電線引き込み用の孔を後付けした内部機器へ効率よく配線できる適宜の箇所に開けることができるものである。なお、配線支持部材本体１の下端の前方側の側面部１２を構成するスライド部材５の正面部の上端面５ａを図示のように機器取付板３に向けて下り傾斜面に形成していれば、予め配線支持部材を箱に取り付けた後に機器取付板３を取り付ける際の誘い込み部となり作業性がよいものである。
【図面の簡単な説明】
【００１６】
【図１】本発明の実施形態を示す一部切欠側面図である。
【図２】本発明の実施形態を態様を異にして示す一部切欠側面図である。
【図３】本発明の実施形態の要部を示す斜視図である。
【図４】本発明の実施形態の要部を分解して示す斜視図である。
【図５】従来例を示す一部切欠側面図である。
【符号の説明】
【００１７】
１  配線支持部材本体
11  上端部
12  側面部
２  電気機器収納用箱
21  開口枠部
22  背面板部
23  側板部
３  機器取付板
【図１】
2005340274.tif 000003
【図２】
2005340274.tif 000004
【図３】
2005340274.tif 000005
【図４】
2005340274.tif 000006
【図５】
2005340274.tif 000007